(57)【要約】【課題】  遊技場の壁に設置された遊技機の筐体の上方の位置に情報端末機器等の突出物が設置されていても、その突出物に当たることなく上開き前面扉が開けられる遊技機を提供することにある。【解決手段】  遊技者が対面する筐体２の正面側に開口部３が形成され、筐体２には、開口部３の上側開口部３Ａを開閉する上開き前面扉と、開口部３の下側開口部３Ｂを開閉するスライド前面扉４Ｂが取付けられている。上開き前面扉４Ａが開かれた時、上開き前面扉４Ａが、上開き扉開閉装置５によって、上開き前面扉４Ａの上部４ａが筐体２の前面２ａより前方に突出した位置に支持される。【選択図】図４
2018064798.tif 000002
【特許請求の範囲】
【請求項１】
遊技者が対面する前面に開口部が形成された筐体と、
前記筐体の前面側に設けられ前記開口部を開閉するための上開き前面扉と、
前記上開き前面扉を前記開口部に対して開閉自在に支持する上開き扉開閉装置を有し、
前記上開き前面扉が開かれ時に、前記上開き前面扉は、前記上開き扉開閉装置によって、前記上開き前面扉の上部が前記筐体の前面より突出した位置に支持される、
遊技機。
【請求項２】
前記上開き扉開閉装置は、前記筐体の左側板と前記上開き前面扉との間に設けられた左側開閉機構部と、前記筐体の右側板と前記上開き前面扉との間に設けられた右側開閉機構部と、を有し、
前記左側開閉機構部及び前記右側開閉機構部は、一端が前記上開き前面扉の上部に回転自在に取付けられた第１リンク部材と、一端が前記第１リンク部材の他端に回転自在に取付けられるとともに他端が前記筐体に回転自在に取付けられた第２リンク部材と、一端が前記筐体に回転自在に取付けられるとともに他端が前記前面扉の背面に摺動自在に取付けられた第３リンク部材とをそれぞれ有し、
前記上開き前面扉が、前記第１リンク部材、前記第２リンク部材及び第３リンク部材の駆動によって開かれた時に、前記上開き前面扉は、前記上開き前面扉の上部が前記筐体の前面より前方に突出した位置に支持される、
請求項１に記載の遊技機。
【請求項３】
前記上開き前面扉の左右両側部の少なくとも一方に、サイドパネルが前方に突設されている、
請求項１または請求項２に記載の遊技機。
【請求項４】
前記前面扉の上部に、アッパーパネルが前方に突設されている、
請求項１〜請求項３のいずれかに記載の遊技機。
【請求項５】
前記上開き前面扉の下側に前記開口部を開閉するためのスライド前面扉が設けられ、
前記スライド前面扉は、スライド扉開閉装置によって、前記筐体に対して直線的に出し入れ自在に支持される、
請求項１または請求項２に記載の遊技機。
【請求項６】
前記スライド扉開閉装置は、前記筐体の左側板と前記スライド前面扉との間に設けられた左側スライド機構部と、前記筐体の右側板と前記スライド前面扉との間に設けられた右側スライド機構部と、を有し、
前記左側スライド機構部及び前記右側スライド機構部は、前記スライド前面扉の前記筐体の開口部からの出し入れ操作をガイドするとともに前記筐体の前方へ引き出された前記スライド前面扉を支持するレール部材をそれぞれ有する、
請求項５に記載の遊技機。
【請求項７】
前記スライド前面扉が閉じられた状態でロックする第１の扉ロック装置を有し、
前記スライド前面扉には、前記上開き前面扉に設けられた上開き扉側係合部と係合するスライド扉側係合部が設けられ、前記スライド扉側係合部は、前記上開き前面扉が閉じられた後に前記スライド前面扉が閉じられたときに前記上開き扉側係合部に係合し、前記上開き前面扉が閉じられた状態で支持される、
請求項５または請求項６に記載の遊技機。
【請求項８】
前記上開き前面扉が閉じられた状態でロックする第２の扉ロック装置を有し、
前記第２の扉ロック装置には、前記スライド扉側係合部が前記上開き扉側係合部に係合したときに前記上開き前面扉をロック状態にするとともに、前記スライド前面扉が開かれ前記上開き扉側係合部と前記スライド扉側係合部との係合状態が解放されたときに前記上開き前面扉のロック状態を解除するためのロック操作レバーが設けられている、
請求項７に記載の遊技機。
【発明の詳細な説明】
【技術分野】
【０００１】
本発明は、パチンコホール等の遊技場に設置されるパチンコ機やスロット機等の遊技機に関するものである。
【背景技術】
【０００２】
一般的に、遊技場においては、多数の遊技機が直線的に一列に設置されるとともに、一列に設置された遊技機の列が平行に複数並んで設置されている。
そして、遊技中に、遊技機が故障した場合、あるいは遊技機に使用するメダルを補充する必要が生じた場合は、遊技場のスタッフが該当する遊技機の前面扉を開けて作業を行う。
【０００３】
遊技機の前面扉の開閉方向は、一般的に右側から左側の方向となっており、前面扉は横開き方式となっている。
このように、遊技機の前面扉が横開き方式のものであると、前面扉を開けた時に隣席の遊技者の真横に前面扉が接近するために不快を感じる遊技者がいると思われる。
【０００４】
また、近年、遊技機の機能を増やすために、前面扉の側部にサイドパネルを前方に突出するように取り付け、入賞時にサイドパネルを例えばＬＥＤで照光させる遊技機が採用されている。また、前面扉の上部にひさしのように前方に突出するアッパーパネルを取り付けたものも採用されている。
このように、前面扉にサイドパネルやアッパーパネルが取り付けられていると、前面扉を横開きにしたとき、隣席の遊技者の頭部付近に突き出たアッパーパネルやサイドパネルが接近する恐れがあり、遊技場のスタッフは前面扉の開閉操作に気を使う必要がある。
【０００５】
また、前面扉が横開き方式であると、前面扉の左右両側部にサイドパネルを取り付けることができず、サイドパネルを前面扉の左右両側部のいずれか一方にしか取り付けることができなかった。
【発明の概要】
【発明が解決しようとする課題】
【０００６】
ところで、上述した前面扉の横開き方式よる不都合を解消するために、前面扉を上開き方式とすることが考えられる。しかし、遊技機の筐体の真上の壁には遊技機の入賞データ等を保管管理する情報端末機器が前方に突出するように設置されている。
このように、遊技機の真上の壁に情報端末機器が設置されていると、前面扉を上開きに開け時、前面扉の上部が情報端末機器に当たり、前面扉を完全に開けることが困難である。
【０００７】
特に、前面扉の上部にアッパーパネルがひさしのように前方に突出するように取り付けられたものであっては、前面扉を上開きに開けた時、すぐにアッパーパネルの翼の部分が情報端末機器に当たり、前面扉を開けることが困難である。
【０００８】
本発明は、上述した従来の課題に鑑みてなされたものであり、遊技場の壁に設置された遊技機の筐体の上方の位置に情報端末機器等の突出物が設置されていても、その突出物に当たることなく上開き前面扉が開けられる遊技機を提供することを目的とする。
【課題を解決するための手段】
【０００９】
上述した従来の課題を解決し、上述した目的を達成するため、本発明の遊技機は、  遊技者が対面する前面に開口部が形成された筐体と、前記筐体の前面側に設けられ前記開口部を開閉するための上開き前面扉と、前記上開き前面扉を前記開口部に対して開閉自在に支持する上開き扉開閉装置とを有し、前記上開き前面扉が開かれ時に、前記上開き前面扉は、前記上開き扉開閉装置によって、前記上開き前面扉の上部が前記筐体の前面より突出した位置に支持されることを特徴とする。
【００１０】
この構成によれば、遊技場の壁に設置された遊技機の筐体の上方の位置に情報端末機器等の突出物が設置されていても、上開き前面扉を開く時、筐体の上部が情報端末機器等の突出物に当たることなく上開き前面扉を開くことができる。
【００１１】
好適には、前記上開き扉開閉装置は、前記筐体の左側板と前記上開き前面扉との間に設けられた左側開閉機構部と、前記筐体の右側板と前記上開き前面扉との間に設けられた右側開閉機構部とを有し、前記左側開閉機構部及び前記右側開閉機構部は、一端が前記上開き前面扉の上部に回転自在に取付けられた第１リンク部材と、一端が前記第１リンク部材の他端に回転自在に取付けられるとともに他端が前記筐体に回転自在に取付けられた第２リンク部材と、一端が前記筐体に回転自在に取付けられるとともに他端が前記前面扉の背面に摺動自在に取付けられた第３リンク部材とをそれぞれ有し、前記上開き前面扉が前記第１リンク部材、前記第２リンク部材及び第３リンク部材の駆動によって開かれた時に、前記上開き前面扉は、前記上開き前面扉の上部が前記筐体の前面より前方に突出した位置に支持されることを特徴とする。
この構成によれば、筐体の左右両側板と前面扉との間に前面扉の開閉機構部が設けられているので、筐体内の中央部分に設けられる他部品の設置スペースに影響を与えない。
【００１２】
好適には、前記前面扉の左右両側部の少なくとも一方に、サイドパネルが前方に突設されていることを特徴とする。
この構成によれば、遊技場の壁に設置された遊技機の筐体の上方の位置に情報端末機器等の突出物が設置されていても、上開き前面扉を開く時、サイドパネルの上部が突出物に当たることなく上開き前面扉を開くことができる。
【００１３】
好適には、前記前面扉の上部に、アッパーパネルが前方に突設されていることを特徴とする。
この構成によれば、遊技場の壁に設置された遊技機の筐体の上方の位置に情報端末機器等の突出物が設置されていても、上開き前面扉を開く時、アッパーパネルの上部が突出物に当たることなく上開き前面扉を開くことができる。
【００１４】
好適には、前記上開き前面扉の下側に前記開口部を開閉するためのスライド前面扉が設けられ、前記スライド前面扉は、スライド扉開閉装置によって、前記筐体に対して直線的に出し入れ自在に支持されることを特徴とする。
この構成によれば、前面扉全体が上下に２分割されているので、上開き前面扉は縦幅が短いものとなる。したがって、上開き前面扉を前方へ開くための距離が短くなり、上開き前面扉が開かれた時、細長い通路を間に挟み背中合わせで遊技を行っている遊技者に対して不快感を与えることはない。
【００１５】
好適には、前記スライド扉開閉装置は、前記筐体の左側板と前記スライド前面扉との間に設けられた左側スライド機構部と、前記筐体の右側板と前記スライド前面扉との間に設けられた右側スライド機構部とを有し、前記左側スライド機構部及び前記右側スライド機構部は、前記スライド前面扉の前記筐体の開口部からの出し入れ操作をガイドするとともに前記筐体の前方へ引き出された前記スライド前面扉を支持するレール部材をそれぞれ有することを特徴とする。
この構成によれば、筐体の左右両側板と前面扉との間に前面扉の開閉機構部が設けられているので、筐体内の中央部分に設けられる他部品の設置スペースに影響を与えない。
【００１６】
好適には、前記スライド前面扉が閉じられた状態でロックする第１の扉ロック装置を有し、前記スライド前面扉には、前記上開き前面扉に設けられた上開き扉側係合部と係合するスライド扉側係合部が設けられ、前記スライド扉側係合部は、前記上開き前面扉が閉じられた後に前記スライド前面扉が閉じられたときに前記上開き扉側係合部に係合し、前記上開き前面扉が閉じられた状態で支持されることを特徴とする。
この構成によれば、スライド前面扉の開閉を簡単且つ確実に行える。また、スライド前面扉が閉じられた状態では上開き前面扉を開くことができないので、防犯性が高い。
【００１７】
好適には、前記上開き前面扉が閉じられた状態でロックする第２の扉ロック装置を有し、前記第２の扉ロック装置には、前記スライド扉側係合部が前記上開き扉側係合部に係合したときに前記上開き前面扉をロック状態にするとともに、前記スライド前面扉が開かれ前記上開き扉側係合部と前記スライド扉側係合部との係合状態が解放されたときに前記上開き前面扉のロック状態を解除するためのロック操作レバーが設けられていることを特徴とする。
この構成によれば、上開き前面扉が閉じられた状態でスライド前面扉が閉じられると第２の扉ロック装置が自動的にロックされる。スライド前面扉が開かれた後、ロック操作レバーを操作することにより、第２の扉ロック装置のロック状態を解除することができる。したがって、上開き前面扉の開閉操作を簡単且つ確実に行える。
【発明の効果】
【００１８】
本発明によれば、遊技場の壁に設置された遊技機の筐体の上方の位置に情報端末機器等の突出物が設置されていても、その突出物に当たることなく上開き前面扉が開けられる遊技機を提供することができる。
【図面の簡単な説明】
【００１９】
【図１】本発明の実施形態に係るスロット機の外観斜視図である。
【図２】図１のスロット機の筐体内における上開き前面扉の上開き扉開閉装置及びスライド前面扉のスライド扉開閉装置を示す側面図である。
【図３】図１のスロット機のスライド前面扉が引き出された位置に支持された状態を示す側面図である。
【図４】図１のスロット機の上開き前面扉が開かれ水平な位置に支持された状態を示す側面図である。
【図５】図１のスロット機の筐体の内部における第１の扉ロック装置及び第２の扉ロック装置を示す斜視図であり、上開き前面扉が閉じられるとともにスライド扉が閉じられた状態を示す図である。
【図６】図５の第１の扉ロック装置及び第２の扉ロック装置の拡大斜視図である。
【図７】図５の第１の扉ロック装置及び第２の扉ロック装置の要部拡大斜視図である。
【図８】図５の第１の扉ロック装置及び第２の扉ロック装置のロック状態が解除された状態を模式的に示す側面図である。
【発明を実施するための形態】
【００２０】
以下、本発明の遊技機の実施形態に係るスロット機について、図面を参照しながら説明する。なお、本発明はスロット機に限定されず、パチンコ機等の各種の遊技機にも適用可能である。
【００２１】
図１は、本発明の実施形態に係るスロット機の外観斜視図である。図２は、図１のスロット機の筐体の内部における上開き前面扉の上開き扉開閉装置及びスライド前面扉のスライド扉開閉装置を示す側面図である。図３は、図１のスロット機のスライド前面扉が引き出された位置に支持された状態を示す側面図である。図４は、図１のスロット機の上開き前面面扉が開かれ水平な位置に支持された状態を示す側面図である。図５は、図１のスロット機の筐体内における第１の扉ロック装置及び第２の扉ロック装置を示す斜視図であり、上開き前面扉が閉じられるとともにスライド扉が閉じられた状態を示す図である。図６は、図５の第１の扉ロック装置及び第２の扉ロック装置の拡大斜視図である。図７は、図５の第１の扉ロック装置及び第２の扉ロック装置の要部拡大斜視図である。図８は、図５の第１の扉ロック装置及び第２の扉ロック装置のロック状態が解除された状態を模式的に示す側面図である。
【００２２】
（スロット機の全体構成）
図１及び図２に示すように、本発明の実施形態に係るスロット機１は、板金により形成された直方体形状の筐体２を有している。遊技者が対面する筐体２の正面側には、開口部３が形成されている。筐体２には、開口部の上側開口部３Ａを開閉する上開き前面扉４Ａと、開口部３の下側開口部３Ｂを開閉するスライド前面扉４Ｂが取付けられている。上側開口部３Ａは、上開き前面扉４Ａの下端部を上方に持ち上げることにより、開口される。また、下側開口部３Ｂは、スライド前面扉４Ｂを前方に引き出すことにより、開口される。
筐体２の内部には、上開き前面扉４Ａを上側開口部３Ａに対して開閉自在に支持する上開き扉開閉装置５と、スライド前面扉４Ｂを下側開口部３Ｂに対して開閉自在に支持するスライド扉開閉装置６と、スライド前面扉４Ｂが閉じられた状態でロックする第１の扉ロック装置７と、上開き前面扉４Ａが閉じられた状態でロックする第２の扉ロック装置８が組込まれている。
（上開き前面扉）
【００２３】
筐体２の内部の上側には、絵柄を回転させるドラム等（図示は省略する）が組込まれている。ドラムの絵柄は、上開き前面扉４Ａに組み込まれているガラスパネル（図示は省略する）を介して視認できるようになっている。また、上開き前面扉４Ａには液晶表示パネル（図示は省略する）が組み込まれており、液晶表示パネルに表示される動画等を鑑賞できる。なお、液晶表示パネルには、筐体２の内部に組込まれている制御機器（図示は省略する）を操作するスイッチ部等を備えたタッチパネル（図示は省略する）が組み込まれている。
【００２４】
上開き前面扉４Ａの左右両側部には、左側サイドパネル９Ａ及び右側サイドパネル９Ｂが左右方向に対向するように前方へ突設されている。各サイドパネル（９Ａ、９Ｂ）は、透光性を有するプラスチックによって形成されている。各サイドパネル（９Ａ、９Ｂ）の上部は前方に更に突出しており、上開き前面扉４Ａの上部４ａに取付られたアッパーパネル９Ｃに連結されている。各サイドパネル（９Ａ、９Ｂ）の内部には、スロット機本体１Ａの入賞等の動作を表示するＬＥＤ表示シート（図示は省略する）が組み込まれている。
【００２５】
上開き前面扉４Ａは各サイドパネル（９Ａ、９Ｂ）とアッパーパネル９Ｃとによって囲まれた状態になっている。これにより、上開き前面扉４Ａの表面（ガラスパネル面）に、周囲の光が入り込み反射することがないので、筐体２の内部に組込まれているドラムの絵柄の動作や画像等の視認性がよい。
【００２６】
各サイドパネル（９Ａ、９Ｂ）の先端縁には、複数の空気流出口１０Ａが所定間隔を置いて形成されている。なお、図１において、左側サイドパネル９Ａの空気流出口１０Ａの図示は省略されている。
各サイドパネル（９Ａ、９Ｂ）の内部には筐体２の内部から空気が送り込まれる。この空気は、各空気排出口１０Ａから筐体２の前方に送り出され、筐体２の左右両側部には、上開き前面扉４Ａに対して垂直なエアーカーテンが形成される。
各サイドパネル（９Ａ、９Ｂ）の各空気流出口１０Ａから送り出される空気によって形成されたエアーカーテンにより、タバコの煙等を上方に吹き飛ばし、遊技者の身体に直接タバコの煙等が吹きかかることを防ぐ。
遊技者の上半身は左右の各サイドパネル（９Ａ、９Ｂ）及びアッパーパネル９Ｃによって囲まれた状態になるので、遊技者の身体へのタバコの煙等の吹きかかりの排除効果が高い。
【００２７】
なお、本発明は、サイドパネルが左右のどちらか一方に取付けられているものであってもよく、また、アッパーパネルが取付けられていないものであってよい。
【００２８】
（スライド前面扉）
スライド前面扉４Ｂには上開き前面扉４Ａと同じように液晶表示パネル（図示は省略する）が組み込まれており、液晶表示パネルに表示される動画等を鑑賞できる。
スライド前面扉４Ｂの左右両側部には、左側サイドパネル１１Ａ及び右側サイドパネル１１Ｂが左右方向に対向するように前方へ突設されている。各サイドパネル（１１Ａ、１１Ｂ）は、透光性を有するプラスチックによって形成されている。各サイドパネル（１１Ａ、１１Ｂ）の内部には、上開き前面扉４Ａの各サイドパネル（９Ａ、９Ｂ）と同じようにスロット機１の入賞等の動作を表示するＬＥＤ表示シート（図示は省略する）が組み込まれている。
【００２９】
各サイドパネル（１１Ａ、１１Ｂ）の先端縁には、複数の空気流出口１０Ｂ所定間隔を置いて形成されている。各サイドパネル（１１Ａ、１１Ｂ）の内部には筐体２の内部から空気が送り込まれる。この空気は、各空気排出口１０Ｂから筐体２の前方に送り出され、筐体２の左右両側部には、上開き前面扉４Ａに対して垂直なエアーカーテンが形成される。
各サイドパネル（１１Ａ、１１Ｂ）の各空気流出口１０Ｂから送り出される空気によって形成されたエアーカーテンにより、タバコの煙等を上方に吹き飛ばし、遊技者の身体に直接タバコの煙等が吹きかかることを防ぐ。
【００３０】
（上開き扉開閉装置）
上開き扉開閉装置５は、筐体２の左側板２Ａと前記上開き前面扉４Ａとの間に設けられた左側開閉機構部５Ａと、筐体２の右側板２Ｂと前記前面扉との間に設けられた右側開閉機構部５Ｂとを有している。
左側開閉機構部５Ａと右側開閉機構部５Ｂは、左側開閉機構部５Ａと右側開閉機構部５Ｂは左右対称である点を除き、同一に構成されている。そこで、本実施形態では左側開閉機構部５Ａについて説明し、右側開閉機構部５Ｂについての詳細な説明は省略する。
【００３１】
図４に示すように、左側開閉機構部５Ａは、筐体２の左側板２Ａの内側面に取付け固定された縦長の基板１２によって、筐体２に取付けられている。左側開閉機構部５Ａは、第１リンク部材１３Ａと、第２リンク部材１３Ｂと、第３リンク部材１３Ｃを有している。
【００３２】
第１リンク部材１３Ａの一端は上開き前面扉４Ａの背面側に取付けられている上開き扉保持枠５０の左側枠５０Ｃの上部に第１連結ピン１４Ａを介して回転自在に取付けられている。第１リンク部材１３Ａの他端は第２連結ピン１４Ｂを介して第２リンク部材１３Ｂの一端に回転自在に取付けられている。第２リンク部材１３Ｂは基板１２の下端に第３連結ピン１４Ｃを介して回転自在に取付けられている。第３リンク部材１３Ｃの一端は第４連結ピン１４Ｄを介して基板１２の上端に回転自在に取付けられている。第３リンク部材１３Ｃの他端は上開き扉保持枠５０の左側枠５０Ｃに摺動自在に取付けられている。第１リンク部材１３Ａの中途部と第３リンク部材１３Ｃの中途部は第５連結ピン１４Ｅを介して回転自在に取付けられている。
【００３３】
第２リンク部材１３Ｂの中途部には一端１５ａが筐体２の左側板２Ａの内側面に取付けられたダンパー部材１５の他端１５ｂが回転自在に取付けられている。ダンパー部材１５は左側開閉機構部５Ａ全体を弾性的に支持する機能を有している。したがって、上開き前面扉４Ａを開閉操作する時に上開き前面扉４Ａが自重で急激に閉じる方向に移動することを防ぐことができる。
【００３４】
上開き前面扉４Ａを上方に開いて、図４に示すように、上開き操作を行うと、第１リンク部材１３Ａが第５連結ピン１４Ｅを中心に図４中反時計回り方向に回転する。第１リンク部材１３Ａの回転により、第２リンク部材１３Ｂが第３連結ピン１４Ｃを中心に図４中時計回り方向に回転する。第３リンク部材１３Ｃは第４連結ピン１４Ｄを中心に図４中時計回り方向に回転する。第３リンク部材１３Ｃの他端は上開き扉保持枠５０の左側枠５０Ｃに沿って上開き前面扉４Ａの下部側から上部側に摺動し、上開き前面扉４Ａは第３リンク部材１３Ｃによって受止め支持される。
【００３５】
第１リンク部材１３Ａ、第２リンク部材１３Ｂ及び第３リンク部材１３Ｃの駆動によって、上開き前面扉４Ａは筐体２の前方側に突出した状態で支持される。
そして、図４に示すように、上開き前面扉４Ａが水平な位置に開かれたとき、上開き前面扉４Ａは、上開き扉開閉装置５によって、上開き前面扉４Ａの上部４ａが筐体２の前面２ａより前方に突出した位置に支持される。
このように、上開き前面扉４Ａの上部４ａが筐体２の前面２ａより前方に突出した位置に支持されることによって、上開き前面扉４Ａの上部４ａと筐体２の前面２ａとの間にはスペース１６が形成される。スペース１６の幅Ｗは遊技機１が設置される壁から前方に突出する情報端末機器等の突出物の突出距離よりも大きく設定されている。
【００３６】
左側開閉機構部５Ａと右側開閉機構部５Ｂが筐体２の左側板２Ａと右側板２Ｂと上開き前面扉４Ａとの間にそれぞれ設けられているので、筐体２の内部の中央部分に設けられる他部品の設置スペースに影響を与えない。
【００３７】
（スライド扉開閉装置）
スライド扉開閉装置６は、筐体２の左側板２Ａとスライド前面扉４Ｂとの間に設けられた左側スライド機構部６Ａと、筐体２の右側板２Ｂとスライド前面扉４Ｂとの間に設けられた右側スライド機構部６Ｂとを有している。
左側スライド機構部６Ａと右側スライド機構部６Ｂは、左右対称である点を除き、同一に構成されている。そこで、本実施形態では左側スライド機構部６Ａについて説明し、右側スライド機構部６Ｂについての詳細な説明は省略する。
【００３８】
図３に示すように、左側スライド機構部６Ａは、筐体２の左側板２Ａの内側面の下部に取付け固定された固定レール部材１９Ａを有している。固定レール部材１９Ａには可動レール部材１９Ｂが筐体２の前方に直線的に出し入れ自在となるように嵌合されている。可動レール部材１９Ｂはスライド前面扉４Ｂのスライド扉保持枠５１の下側枠５１Ｂに取付けられている。
【００３９】
スライド前面扉４Ｂが筐体２の前方への出し入れが自在となる可動レール部材１９Ｂに取付けられることによって、スライド前面扉４Ｂは筐体２の下側開口部３Ｂからの出し入れがガイドされる。そして、スライド前面扉４Ｂは、スライド扉開閉装置６によって、筐体２の内部で支持されるとともに、筐体２の前方に引き出された位置で支持される。
このように、左側スライド機構部６Ａと右側スライド機構部６Ｂが筐体２の左側板２Ａと右側板２Ｂとスライド前面扉４Ｂとの間にそれぞれ設けられているので、筐体２の内部の中央部分に設けられる他部品の設置スペースに影響を与えない。
【００４０】
（上開き前面扉及びスライド前面扉の開閉動作）
上開き前面扉４Ａは第１の扉ロック装置７によってスライド前面扉４Ｂを開く前に開くことができないように構成されている。
したがって、上開き前面扉４Ａを開くときは、第１の扉ロック装置７のロック状態を解除し、図３に示すように、先にスライド前面扉４Ｂを開く。これにより、上開き前面扉４Ａを開くことができる。
このように、スライド前面扉４Ｂを上開き前面扉４Ａよりも先に開くことによって、筐体２の重心位置が下側となる。したがって、上開き前面扉４Ａを開くときに、筐体２が前方へ傾くことを防ぐことができる。
【００４１】
遊技場の壁に設置された遊技機１の筐体２の上方の位置には遊技機１の入賞データ等を保管管理する情報端末機器等の突出物が前方に突出するように取付けられている。
しかしながら、上開き前面扉４Ａを開くとき、上開き前面扉４Ａの上部４ａと筐体２の前面２ａとの間にスペース１６が形成されるので、情報端末機器等の突出物が筐体２の前面２ａから前方に突出する位置に設置されていても、上開き前面扉４Ａの上部４ａに設けられっているアッパーパネル９Ｃが情報端末機器等の突出物に当たらないように、上開き前面扉４Ａを開くことができる。また、各サイドパネル（８Ａ，８Ｂ）の上部も情報端末機器等の突出物に当たらないように、上開き前面扉４Ａを開くことができる。
【００４２】
また、遊技機１の前面扉が上開き前面扉４Ａとスライド前面扉４Ｂに２分割されているので、上開き前面扉４Ａの縦幅は短くなっている。したがって、上開き前面扉４Ａを前方へ開くための距離が短くなり、上開き前面扉４Ａを開いた時、細長い通路を間に挟み背中合わせで遊技を行っている遊技者に対して不快感を与えることはない。
なお、本発明は上開き前面扉に各サイドパネルやアッパーパネルが設けられていないものであっても、上開き前面扉４Ａの上部４ａが情報端末機器に当たらないように、上開き前面扉４Ａを開くことができる。
【００４３】
（第１の扉ロック装置）
図５〜図７に示すように、第１の扉ロック装置７は、筐体２の左側板２Ａの内側面側に設けられた左側ロック機構部７Ａと、筐体２の右側板２Ａの内側面側に設けられた右側ロック機構部７Ｂと、スライド扉保持枠５１の上側枠５１Ａの上側枠の背面に沿って左右方向に移動自在に設けられ左側ロック機構部７Ａ及び右側ロック機構部７Ｂを駆動させる駆動フレーム２０とを有している。
【００４４】
スライド扉保持枠５１の上側枠５１Ａの右側上部には第１の扉ロック装置７のロック状態を解除するための解除キーが挿入されるシリンダ６０が取付けられている。シリンダ６０内には回転体（図示は省略する）が組み込まれており、解除キーの回転操作により回転体を回転操作することによって、第１の扉ロック装置７のロック状態が解除される構成となっている。
なお、左側ロック機構部７Ａと右側ロック機構部７Ｂは、左右対称である点を除き、同一に構成されている。そこで、本実施形態では右側ロック機構部６Ｂについて詳細に説明する。なお、左側ロック機構部７Ａにおいて、右側ロック機構部７Ｂと構成が同一の部分については同一の符号が付している。
【００４５】
右側ロック機構部７Ｂはスライド前面扉４Ｂのスライド扉保持枠５１の右側枠５１Ｄの内側面に縦方向に摺動自在に取付けられた縦長の右側ロック板２１を有している。右側ロック板２１の上部側には筐体２の右側板２Ｂの内側面に取付けられた右支持板２Ｄに突出形成された第１係止ピン２２Ａに係止される第１切り欠き部２１Ａが形成されている。また、右側ロック板２１の下部側には右支持板２Ｄに突出形成された第２係止ピン２２Ｂに係止される第２切り欠き部２１Ｂが形成されている。
右側ロック板２１の上部側にはスライド扉保持枠５１の右側枠５１Ｄの内側面に突出形成された第１ガイドピン２２Ｃが嵌合する縦長の第１ガイド孔２１Ｃが形成されている。また、右側ロック板２１の下部側にはスライド扉保持枠５１の右側枠５１Ｄの内側面に突出形成された第２ガイドピン２２Ｄが嵌合する縦長の第２ガイド孔２１Ｄが形成されている。右側ロック板２１は各ガイド孔（２１Ｃ、２１Ｄ）の縦幅の範囲内で上下方向に摺動自在に支持されている。
【００４６】
第１切り欠き部２１Ａ及び第２切り欠き部２１Ｂの上部は開口されており、右側ロック板２１が下方向に摺動されたとき、各係止ピン（２２Ａ、２２Ｂ）に対する各切り欠き部２１Ａ、２１Ｂの係止状態が開放される。
スライド扉保持枠５１の右側枠５１Ｄの内側面の上部側には右側ロック板２１を下方向に摺動させるための第１駆動板２３が取付けられている。第１駆動板２３の上部には右側ロック板２１の摺動方向に対して直交するする方向に突出する駆動片２３Ａが形成されている。駆動片２３Ａは右側ロック板２１の上部側に形成された第３切り欠き部２１Ｅに係合されている。
【００４７】
スライド扉保持枠５１の上側枠５１Ａの背面の右側上部には第１駆動板２３を駆動するための第２駆動板２４が支持ピン２５を介して回転自在に取付けられている。第２駆動板２４の外周部には第１駆動板２３の駆動片２３Ａの上面に当接して第１駆動板２３を駆動する駆動片２４Ａが突出形成されている。
【００４８】
第２駆動板２４の外周において、支持ピン２５を間に挟み駆動片２４Ａと反対の位置には、駆動フレーム２０の一端が駆動板用連結ピン２６を介して回転自在に取付けられている。
【００４９】
駆動フレーム２０には、スライド扉保持枠５１の上側枠５１Ａの背面に左右方向に等間隔をおいて突出形成された第３ガイドピン２２Ｃと第４ガイドピン２２Ｄがそれぞれ嵌合する第１ガイド孔２０Ａと第２ガイド孔２０Ｂが形成されている。駆動フレーム２０は各ガイド孔（２０Ａ、２０Ｂ）の横幅の範囲内で左右方向に摺動自在に支持されている。
【００５０】
スライド扉保持枠５１の上側枠５１Ａの背面の右側上部には、シリンダ６０内に組込まれた回転体の先端２７が突出しており、回転体の先端２７には第３駆動板２８の一端が取付け固定されている。第３駆動板２８の他端には嵌合孔２８Ａが形成されており、嵌合孔２８Ａは駆動フレーム２０の一端に突出形成された駆動ピン２０Ｃが嵌合されている。第３駆動板２８が回転体の先端２７を中心に図７中反時計回り方向に回転すると駆動フレーム２０は図７中右方向、すなわち左側ロック機構部６Ａの方向に移動する。
【００５１】
スライド扉保持枠５１の右側枠５１Ｄの背面の上部には第１駆動板２３を常時上方に付勢するコイルばね２９が取付けられている。したがって、右側ロック板２１はコイルばね２９により常時上方に付勢されている。
【００５２】
スライド扉保持枠５１の上側枠５１Ａの略中央部分には後述するロック操作レバー３０に係合するスライド扉側係合部３１が設けられている。スライド扉側係合部３１は前記上開き前面扉４Ａが閉じられた後に前記スライド前面扉４Ｂが閉じられたときにロック操作レバー３０に当接係合し、前記上開き前面扉４Ａが閉じられた状態で支持される。
【００５３】
次に、第１の扉ロック装置７の動作について説明する。
シリンダ６０に解除キーを差込んで回転体を回転させる。そうすると、第３駆動板２８は回転体の先端２７を中心に図７中反時計回り方向に回転する。第３駆動板２８の回転により駆動フレーム２０は図７中右側方向に移動する。駆動フレーム２０の移動により、第２駆動板２４は支持ピン２５を中心に図７中反時計回り方向に回転する。第２駆動板２４の回転により、駆動片２４Ａはコイルバネ２９の付勢力に抗して図７中下方向に移動し、右側ロック板２１は図７中下方向に摺動する。右側ロック板２１の摺動によって、右側ロック板２１の第１切り欠き部２１Ａと第１係止ピン２２Ａとの係止状態及び第２切り欠き部２１Ｂと第２係止ピン２２Ｂとの係止状態が図８に示すように開放され、右側ロック機構部７Ｂのロック状態が解除される。
駆動フレーム２０が図６中右側方向に摺動することによって、左側ロック機構部７Ａのロック状態も解除される。
第１扉ロック装置７のロック状態が解除されることによって、スライド前面扉４Ｂの前方への引き出しが可能となる。
【００５４】
スライド前面扉４Ｂを前方に引き出した後、解除キーによる回転体の回転操作を取り止めると左側ロック板２１はコイルスプリング２９の付勢力によって図７中上方に摺動させられ、左側ロック板２１はロック時の位置に戻される。
【００５５】
筐体２の前方に引き出されたスライド前面扉４Ｂを閉じるために、スライド前面扉４Ｂを筐体２の方向に押し込むと、右側ロック板２１の各切り欠き部（２１Ａ、２１Ｂ）に形成されている各傾斜面が各ガイドピン（２２Ａ、２２Ｂ）に当接し、右側ロック板２１はコイルバネ２９の付勢力に抗して図７中下方向に摺動させられる。そして、各切り欠き部（２１Ａ、２１Ｂ）が各係止ピン（２２Ａ、２２Ｂ）を乗り越えると右側ロック板２１はコイルスプリング２９の付勢力によって図７中上方に摺動させられる。
【００５６】
このように右側ロック板２１が摺動させられることによって、右側ロック機構部７Ｂはロック状態になる。右側ロック機構部７Ｂがロック状態になると左側ロック機構部６Ａも同じようにロック状態になり、第１の扉ロック装置７がロック状態になる。
【００５７】
このような構成によれば、スライド前面扉４Ｂの開閉操作を簡単且つ確実に行うことができる。
また、スライド前面扉４Ｂが閉じられた状態では上開き前面扉４Ａを開くことができないので、防犯性が高い。
【００５８】
（第２の扉ロック装置）
図５〜図７に示すように、第２の扉ロック装置８は、上開き前面扉４Ａの上開き扉保持枠５０の下側枠５０Ｂの背面側に設けられたロック操作フレーム４０を有している。
ロック操作フレーム４０の一端は上開き扉保持枠５０の左側枠５０Ｃの内側面に回転自在に取り付けられている。また、ロック操作フレーム４０の他端は上開き扉保持枠５０の右側枠５０Ｄの内側面に回転自在に取り付けられている。
【００５９】
ロック操作フレーム４０の一端には左側フック部４１が筐体２の内方側に突出するように形成されている。左側フック部４１の上部には筐体２の左側板２Ａの内側面に取付けられた左支持板２Ｃに突出形成された係止ピン４２が係合する切り欠き部４１Ａが形成されている。ロック操作フレーム４０の他端には右側フック部４３が筐体２の内方側に突出するように形成されている。右側フック部４３の上部には支持板２Ｄに突出形成された係止ピ４４ンが係合する切り欠き部４３Ａが形成されている。
【００６０】
ロック操作フレーム４０の略中央部分には、上開き前面扉４Ａを閉じた後にスライド前面扉４Ｂを閉じた時に、スライド前面扉４Ｂのスライド扉側係合部３１が前方より当接して係合するロック操作レバー３０が形成されている。ロック操作レバー３０は上開き扉側係合部を兼ねている。
【００６１】
次に、第２の扉ロック装置８の動作について説明する。
図６に示すように、上開き前面扉４Ａが閉じられるとともにスライド前面扉４Ｂが閉じられた状態では、第２の扉ロック装置８のロック操作レバー３０はスライド扉側係合部３１に前方より当接して係合している。この時、ロック操作フレーム４０の両端に形成された各切り欠き部（４１Ａ、４３Ａ）は各係止ピン（４２、４４）に係合し、上開き前面扉４Ａは閉じられた状態でロックされている。
【００６２】
スライド前面扉４Ｂが図３に示すように筐体２の前方に引き出されると、ロック操作レバー３０とスライド扉側係合部３１との係合状態が解放される。そうすると、ロック操作レバー３０を手で掴むことが可能となる。そして、ロック操作レバー３０を上方に持ち上げ、ロック操作フレーム４０を図８中時計回り方向に回転させることができる。このように、ロック操作フレー４０を回転させるとロック操作フレーム４０の左右両端に形成されている各切り欠き部（４１Ａ、４３Ａ）と各係止ピン（４２、４４）との係合状態が解放され、第２の扉ロック装置８のロック状態が解除される。
第２の扉ロック装置８のロック状態が解除されることによって、上開き前面扉４Ａを開くことが可能となる。
【００６３】
また、上開き前面扉４Ａを閉じた後、スライド前面扉４Ｂを閉じると、ロック操作レバー３０がスライド扉側係合部３１に当接係合し、ロック操作フレーム４０が図８中反時計回り方向に回転させられ、ロック操作フレーム４０の左右両端に形成されている各切り欠き部（４１Ａ、４３Ａ）と各係止ピン（４２、４４）とが再び係合し、第２の扉ロック装置８はロック状態になる。
【００６４】
このような構成によれば、上開き前面扉４Ａが閉じられた状態でスライド前面扉４Ｂが閉じられると第２の扉ロック装置８がロックされ、スライド前面扉４Ｂが開かれた後に、ロック操作レバー３０の操作により第２の扉ロック装置８のロック状態を解除できるので、上開き前面扉４Ａの開閉操作を簡単且つ確実に行える。
【００６５】
（まとめ）
本実施形態に係るスロット機１によれば、上開き前面扉４Ａを開くとき、上開き前面扉４Ａの上部４ａと筐体２の前面２ａとの間に幅Ｗが遊技場の壁に設置された情報端末機器等の突出物の突出距離より大きいスペース１６が形成されるので、上開き前面扉４Ａの上部４ａに設けられっているアッパーパネル９Ｃが情報端末機器等の突出物に当たらないように、上開き前面扉４Ａを開くことができる。また、各サイドパネル（９Ａ、９Ｂ）の上部も情報端末機器等の突出物に当たらないように、上開き前面扉４Ａを開くことができる。
【００６６】
なお、本発明は、上開き前面扉にサイドパネルやアッパーパネルが設けられていないものであっても、上開き前面扉の上部が情報端末機器等の突出物に当たらないように、上開き前面扉４Ａを開くことができる。
【００６７】
また、本実施形態に係るスロット機１によれば、スロット機１の前面扉が上開き前面扉４Ａとスライド前面扉４Ｂに２分割されているので、上開き前面扉４Ａは縦幅が短いものとなっている。したがって、上開き前面扉４Ａを前方へ開くための距離が短くなり、上開き前面扉４Ａを開いた時、細長い通路を挟み背中合わせで遊技を行っている遊技者に対して不快感を与えることはない。
【００６８】
また、本実施形態に係るスロット機１によれば、上開き前面扉４Ａを閉じた後に、スライド前面扉４Ｂのスライド扉側係合部３１を上開き前面扉４Ａのロック解除レバー３０に当接させることによって、上開き前面扉４Ａをロックした状態で支持するとともに、スライド前面扉４Ｂを閉じた状態でロックすることができる。したがって、スライド前面扉４Ｂが閉じられた状態では上開き前面扉４Ａを開くことができないので、防犯性が高い。
【００６９】
なお、本発明は、第２の扉ロック装置を設けずに、上開き前面扉にスライド前面扉が閉じられた時にスライド前面扉に設けられたスライド扉側係合部が係合する上開き扉側係合部を設け、第１の扉ロック装置がロックされることによって、上開き前面扉が閉じられた状態で支持される構成のものであってもよい。
【００７０】
また、本発明は筐体の前面に形成されている開口部が上開き前面扉のみで開閉されるものであっても、上開き前面扉の上部が情報端末機器等の突出物に当たらないように、上開き前面扉を開くことができる。
【００７１】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００７２】
本発明は、筐体の前面に形成された開口部を開閉する上開き前面扉を備えた遊技機に利用可能である。
【符号の説明】
【００７３】
１・・・・・・・・・・・・・・・・・遊技機
２・・・・・・・・・・・・・・・・・筐体
２Ａ・・・・・・・・・・・・・・・・左側板
２Ｂ・・・・・・・・・・・・・・・・右側板
２ａ・・・・・・・・・・・・・・・・前面
３・・・・・・・・・・・・・・・・・開口部
３Ａ・・・・・・・・・・・・・・・・上側開口部
３Ｂ・・・・・・・・・・・・・・・・下側開口部
４Ａ・・・・・・・・・・・・・・・・上開き前面扉
４ａ・・・・・・・・・・・・・・・・上部
４Ｂ・・・・・・・・・・・・・・・・スライド前面扉
５・・・・・・・・・・・・・・・・・上開き扉開閉装置
５Ａ・・・・・・・・・・・・・・・・右側開閉機構部
５Ｂ・・・・・・・・・・・・・・・・左側開閉機構部
１３Ａ・・・・・・・・・・・・・・・第１リンク部材
１３Ｂ・・・・・・・・・・・・・・・第２リンク部材
１３Ｃ・・・・・・・・・・・・・・・第３リンク部材
６・・・・・・・・・・・・・・・・・スライド扉開閉装置
６Ａ・・・・・・・・・・・・・・・・左側スライド機構部
６Ｂ・・・・・・・・・・・・・・・・右側スライド機構部
７・・・・・・・・・・・・・・・・・第１の扉ロック装置
８・・・・・・・・・・・・・・・・・第２の扉ロック装置
９Ａ・・・・・・・・・・・・・・・・左側サイドパネル
９Ｂ・・・・・・・・・・・・・・・・右側サイドパネル
９Ｃ・・・・・・・・・・・・・・・・アッパーパネル
１９Ａ・・・・・・・・・・・・・・・固定スライド部材
１９Ｂ・・・・・・・・・・・・・・・可動スライド部材
３０・・・・・・・・・・・・・・・・ロック操作レバー（上開き扉側係合部）
３１・・・・・・・・・・・・・・・・スライド扉側係合部
【図１】
2018064798.tif 000003
【図２】
2018064798.tif 000004
【図３】
2018064798.tif 000005
【図４】
2018064798.tif 000006
【図５】
2018064798.tif 000007
【図６】
2018064798.tif 000008
【図７】
2018064798.tif 000009
【図８】
2018064798.tif 000010
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
遊技者が対面する前面に開口部が形成された筐体と、
前記筐体の前面側に設けられ前記開口部を開閉するための上開き前面扉と、
前記上開き前面扉を前記開口部に対して開閉自在に支持する上開き扉開閉装置を有し、
前記上開き扉開閉装置は、前記筐体の左側板と前記上開き前面扉との間に設けられた左側開閉機構部と、前記筐体の右側板と前記上開き前面扉との間に設けられた右側開閉機構部を有し、
前記左側開閉機構部及び前記右側開閉機構部は、一端が前記上開き前面扉の上部に回転自在に取付けられた第１リンク部材と、一端が前記第１リンク部材の他端に回転自在に取付けられるとともに他端が前記筐体に回転自在に取付けられた第２リンク部材と、一端が前記筐体に回転自在に取付けられるとともに他端が前記上開き前面扉の背面に摺動自在に取付けられた第３リンク部材をそれぞれ有し、
前記第１リンク部材の中途部と前記第３リンク部材の中途部は連結ピンを介して回転自在に取付けられ、
前記上開き前面扉が、前記第１リンク部材、前記第２リンク部材及び前記第３リンク部材の駆動によって開かれた時に、前記上開き前面扉は、前記上開き前面扉の上部が前記筐体の前面より前方に突出した位置に支持される、
遊技機。
【請求項２】
前記上開き前面扉の左右両側部の少なくとも一方に、サイドパネルが前方に突設されている、
請求項１に記載の遊技機。
【請求項３】
前記前面扉の上部に、アッパーパネルが前方に突設されている、
請求項１または請求項２に記載の遊技機。
【請求項４】
前記上開き前面扉の下側に前記開口部を開閉するためのスライド前面扉が設けられ、
前記スライド前面扉は、スライド扉開閉装置によって、前記筐体に対して直線的に出し入れ自在に支持される、
請求項１に記載の遊技機。
【請求項５】
前記スライド扉開閉装置は、前記筐体の左側板と前記スライド前面扉との間に設けられた左側スライド機構部と、前記筐体の右側板と前記スライド前面扉との間に設けられた右側スライド機構部と、
を有し、
前記左側スライド機構部及び前記右側スライド機構部は、前記スライド前面扉の前記筐体の開口部からの出し入れ操作をガイドするとともに前記筐体の前方へ引き出された前記スライド前面扉を支持するレール部材をそれぞれ有する、
請求項４に記載の遊技機。
【請求項６】
前記スライド前面扉が閉じられた状態でロックする第１の扉ロック装置を有し、
前記スライド前面扉には、前記上開き前面扉に設けられた上開き扉側係合部と係合するスライド扉側係合部が設けられ、前記スライド扉側係合部は、前記上開き前面扉が閉じられた後に前記スライド前面扉が閉じられたときに前記上開き扉側係合部に係合し、前記上開き前面扉が閉じられた状態で支持される、
請求項４または請求項５に記載の遊技機。
【請求項７】
前記上開き前面扉が閉じられた状態でロックする第２の扉ロック装置を有し、
前記第２の扉ロック装置には、前記スライド扉側係合部が前記上開き扉側係合部に係合したときに前記上開き前面扉をロック状態にするとともに、前記スライド前面扉が開かれ前記上開き扉側係合部と前記スライド扉側係合部との係合状態が解放されたときに前記上開き前面扉のロック状態を解除するためのロック操作レバーが設けられている、
請求項６に記載の遊技機。
【手続補正２】
【補正対象書類名】明細書
【補正対象項目名】０００９
【補正方法】変更
【補正の内容】
【０００９】
上述した従来の課題を解決し、上述した目的を達成するため、本発明の遊技機は、遊技者が対面する前面に開口部が形成された筐体と、前記筐体の前面側に設けられ前記開口部を開閉するための上開き前面扉と、前記上開き前面扉を前記開口部に対して開閉自在に支持する上開き扉開閉装置を有し、前記上開き扉開閉装置は、前記筐体の左側板と前記上開き前面扉との間に設けられた左側開閉機構部と、前記筐体の右側板と前記上開き前面扉との間に設けられた右側開閉機構部を有し、前記左側開閉機構部及び前記右側開閉機構部は、一端が前記上開き前面扉の上部に回転自在に取付けられた第１リンク部材と、一端が前記第１リンク部材の他端に回転自在に取付けられるとともに他端が前記筐体に回転自在に取付けられた第２リンク部材と、一端が前記筐体に回転自在に取付けられるとともに他端が前記上開き前面扉の背面に摺動自在に取付けられた第３リンク部材をそれぞれ有し、前記第１リンク部材の中途部と前記第３リンク部材の中途部は連結ピンを介して回転自在に取付けられ、前記上開き前面扉が、前記第１リンク部材、前記第２リンク部材及び前記第３リンク部材の駆動によって開かれた時に、前記上開き前面扉は、前記上開き前面扉の上部が前記筐体の前面より前方に突出した位置に支持されることを特徴とする。
【手続補正３】
【補正対象書類名】明細書
【補正対象項目名】００１１
【補正方法】変更
【補正の内容】
【００１１】
また、この構成によれば、筐体の左右両側板と前面扉との間に前面扉の開閉機構部が設けられているので、筐体内の中央部分に設けられる他部品の設置スペースに影響を与えない。